(57)【特許請求の範囲】
【請求項１】
医用画像データを記憶した医用画像保管装置と通信可能な医用画像表示装置であって、
医用画像データと前記医用画像データに対応する複数種類の付帯情報とを記憶する記憶手段と、
前記医用画像保管装置又は前記記憶手段の少なくとも一方に記憶された前記医用画像データの中から第１医用画像データを選択する第１選択手段と、
前記第１医用画像データに対応する複数種類の付帯情報に基づいて、第１軸方向に対応する分類条件と第２軸方向に対応する分類条件とを求める条件決定手段と、
前記分類条件に基づいて、前記医用画像データを検索する検索手段と、
第１表示領域に前記第１医用画像データを表示し、前記第１表示領域の周囲に設けられた第２表示領域に、前記検索手段により検索した医用画像データを、第１軸方向と第２軸方向に分類して配置して表示する第１表示処理手段と
を備えることを特徴とする医用画像表示装置。
【請求項２】
前記第１軸方向に対応する分類条件は、前記医用画像データの画質を表した条件であることを特徴とする請求項１記載の医用画像表示装置。
【請求項３】
前記表示されている前記第１医用画像データ及び前記医用画像データのうち、いずれかの医用画像データを選択する第２選択手段と、
前記選択された医用画像データの付帯情報に含まれて前記分類条件により分類された値を表示する第２表示処理手段と、
を備えたことを特徴とする請求項１記載の医用画像表示装置。
【請求項４】
前記分類条件のうち、少なくとも一方の分類条件が示す各値の範囲を変更することにより、前記第２表示領域の個数を変更する変更手段を備えたことを特徴とする請求項１記載の医用画像表示装置。
【発明の詳細な説明】
【技術分野】
【０００１】
本発明の実施形態は、医用画像表示装置に関する。
【背景技術】
【０００２】
医用画像撮像装置は、撮影条件に応じて被検体の医用画像を撮影し、得られた画像データを記憶部に保存する。保存された画像データは、医師により読影される際に、当該医用画像撮像装置内の医用画像表示装置に表示される。あるいは、この医用画像撮像装置にネットワークを介して接続された医用画像表示装置に当該画像データが表示される場合もある。
【０００３】
この種の医用画像表示装置の一機能として、撮影された画像データの画像としての良否を区別する機能が知られている。具体的には、ユーザの操作に応じて、読影に使用できない不良画像をマーキングして読影対象から除去し、レポートを出力する機能が知られている。
【発明の概要】
【発明が解決しようとする課題】
【０００４】
以上のような医用画像表示装置は、通常は特に問題ないものの、本発明者の検討によれば、不良画像を読影対象から除去した後、どのように条件を修正すれば良画像を得られるかを判断できない点で改良の余地がある。
【０００５】
また、このような医用画像表示装置は、本発明者の検討によれば、医用画像を多角的に眺めるために、同一条件の他の医用画像と並べて表示することが困難であり、ひいては、医用画像を総合的に判断しにくい点で改良の余地がある。
【０００６】
例えばＸ線撮影装置により撮影した医用画像を、他の装置で撮影された医用画像と比較したい場合、比較対象画像が診断で有用だったか否か（画質に対する評価、撮影線量等）が不明である。また、関心のある医用画像を、類似した症例や撮影条件で撮影された医用画像と比較したい場合でも、比較が困難である。
【０００７】
目的は、関心のある医用画像と、当該医用画像の条件と同一の条件をもつ複数の他の医用画像とを並べて表示でき、医用画像に関する判断を支援し得る医用画像表示装置を提供することである。
【課題を解決するための手段】
【０００８】
実施形態の医用画像表示装置は、医用画像データを記憶した医用画像保管装置に通信可能となっている。
【０００９】
前記医用画像表示装置は、記憶手段、第１選択手段、条件決定手段、検索手段及び第１表示処理手段を備えている。
【００１０】
前記記憶手段は、医用画像データと前記医用画像データに対応する複数種類の付帯情報とを記憶する。
【００１１】
前記第１選択手段は、前記医用画像保管装置又は前記記憶手段の少なくとも一方に記憶された前記医用画像データの中から第１医用画像データを選択する。
【００１２】
前記条件決定手段は、前記第１医用画像データに対応する複数種類の付帯情報に基づいて、第１軸方向に対応する分類条件と第２軸方向に対応する分類条件とを求める。
【００１３】
前記検索手段は、前記分類条件に基づいて、前記医用画像データを検索する。
【００１４】
前記第１表示処理手段は、第１表示領域に前記第１医用画像データを表示し、前記第１表示領域の周囲に設けられた第２表示領域に、前記検索手段により検索した医用画像データを、第１軸方向と第２軸方向に分類して配置して表示する。
【図面の簡単な説明】
【００１５】
【図１】第１の実施形態に係る医用画像表示装置及びその周辺構成を示す模式図である。
【図２】同実施形態における動作を説明するためのフローチャートである。
【図３】同実施形態における動作を説明するための模式図である。
【図４】第２の実施形態に係る医用画像表示装置の動作を説明するための模式図である。
【図５】第３の実施形態に係る医用画像表示装置の動作を説明するための模式図である。
【図６】第４の実施形態に係る医用画像表示装置の動作を説明するための模式図である。
【図７】第５の実施形態に係る医用画像表示装置の動作を説明するための模式図である。
【発明を実施するための形態】
【００１６】
以下、各実施形態に係る医用画像表示装置について図面を用いて説明する。以下の医用画像表示装置は、それぞれハードウェア構成、又はハードウェア資源とソフトウェアとの組合せ構成のいずれでも実施可能となっている。組合せ構成のソフトウェアとしては、予めネットワーク又は記憶媒体からコンピュータにインストールされ、医用画像表示装置の各機能を当該コンピュータに実現させるための画像表示用プログラムが用いられる。
【００１７】
＜第１の実施形態＞
図１は第１の実施形態に係る医用画像表示装置及びその周辺構成を示す模式図である。医用画像表示装置１０は、ネットワークを介して医用画像保管装置２０に接続されている。医用画像表示装置１０は、医用画像を表示するためのコンピュータ装置（いわゆるビューワ）に該当する。医用画像保管装置２０は、医用画像のデータを保存・管理するためのコンピュータ装置（いわゆるサーバ）に該当する。なお、医用画像表示装置１０は、医用画像を撮像するための医用画像撮像装置に組み込まれていても良い。すなわち、医用画像表示装置１０は、医用画像読影装置又は医用画像撮像装置のいずれとしてもよい。医用画像撮像装置としては、Ｘ線一般撮影装置、Ｘ線診断装置、Ｘ線コンピュータ断層撮影装置（ＣＴ）や磁気共鳴イメージング装置（ＭＲＩ）、超音波診断装置、ＳＰＥＣＴ（single photon emission computed tomography）装置、及びＰＥＴ（positron emission computed tomography）装置等の既存のあらゆるモダリティが該当する。
【００１８】
ここで、医用画像表示装置１０は、記憶部１１、表示部１２、処理部１３、操作部１４、制御部１５、及び送受信部１６を有する。
【００１９】
記憶部１１は、医用画像ファイルを記憶する。各医用画像ファイルは、医用画像データと当該医用画像データに対応する複数種類の付帯情報とを有する。複数種類の付帯情報は、複数の条件を含んでいる。ここで、複数の条件は、医用画像データの検索、分類表示又は読影などに用いられる情報である。複数の条件としては、例えば、撮影条件（撮影線量、ポジショニング）、画像パラメータ、撮影者情報（技師）、画像評価情報（良画像又は写損、ＥＩ(exposure index)／Ｓｉ値、診断に有効か）及び患者診断情報（症例、重篤度、部位、体格、年齢、性別）等のデータを含んでいる。ＥＩ値及びＳｉ値は、それぞれ線量が適切か否かを評価する指標である。「写損」の医用画像データは、ユーザの操作により、例えば、Ｘ（バツ）マークが記述されている。「条件」の用語は、「関連情報」、「付随情報」又は「属性情報」などの他の用語に読み替えてもよい。また、付帯情報は、例えば、医用画像データが属する患者ＩＤ、検査ＩＤ、シリーズＩＤ、画像ＩＤ、画像サイズ、画像撮像日時等のＤＩＣＯＭ(Digital Imaging and Communication in Medicine)規格において標準的に利用されている情報を含んでもよい。また、記憶部１１は、後述の画像表示用プログラムを記憶している。
【００２０】
表示部１２は、医用画像を表示機器に表示する。表示機器としては、例えばＣＲＴディスプレイや液晶ディスプレイ、有機ＥＬディスプレイ、プラズマディスプレイ等が挙げられる。
【００２１】
処理部１３は、制御部１５による制御に従って処理を実行する。具体的には、処理部１３は、第１選択機能、条件決定機能、検索機能、及び第１表示処理機能を有している。処理部１３は、第１選択機能により、医用画像保管装置２０又は記憶部１１の少なくとも一方に記憶された医用画像データの中から第１医用画像データを選択する。処理部１３は、条件決定機能により、当該第１医用画像データに対応する複数種類の付帯情報に基づいて、第１軸方向に対応する分類条件と第２軸方向に対応する分類条件とを求める。処理部１３は、検索機能により、当該分類条件に基づいて、医用画像データを検索する。処理部１３は、第１表示処理機能により、第１表示領域に第１医用画像データを表示し、当該第１表示領域の周囲に設けられた第２表示領域に、検索機能により検索した医用画像データを、第１軸方向と第２軸方向に分類して配置して表示部１２により表示する。なお、第１軸方向に対応する分類条件は、医用画像データの画質を表した条件であってもよい。また、第１軸方向と第２軸方向とは直交している。
【００２２】
操作部１４は、ユーザからの各種命令、情報入力、各種指定を、入力機器を介して受け付ける。入力機器としては、マウスやトラックボールなどのポインティングデバイス、スイッチボタン等の選択デバイス、あるいはキーボード等が挙げられる。
【００２３】
制御部１５は、医用画像表示装置１０の中枢として機能し、記憶部１１から画像表示用プログラムを呼び出して各部を制御する。
【００２４】
送受信部１６は、医用画像データ及び当該医用画像データに対応する付帯情報を、ＤＩＣＯＭ規格に準拠した通信方式によりネットワークを介して医用画像保管装置２０に送信する。また、医用画像保管装置２０から送信される医用画像データ及び付帯情報を受信する。送受信部１６における各データの送受信は、制御部１５によって制御される。
【００２５】
一方、医用画像保管装置２０は、送受信部２１、保存部２２、及び制御部２３を有している。
【００２６】
送受信部２１は、医用画像表示装置１０からネットワークを介して送信された医用画像データ及び付帯情報を受信する。また、送受信部２１は、医用画像表示装置１０の操作部１４を介したユーザからの要求に従って、医用画像データ及び当該医用画像データの付帯情報を保存部２２から読み出して医用画像表示装置１０に送信する。
【００２７】
保存部２２は、受信された医用画像データ及び付帯情報を互いに関連付けて保存する。  制御部２３は、送受信部２１と保管部２２とを制御する。
【００２８】
このような医用画像保管装置２０は、医用画像表示装置１０から通信可能な記憶装置を構成している。記憶装置は、医用画像データと当該医用画像データに対応する複数種類の付帯情報とを記憶している。
【００２９】
次に、以上のように構成された医用画像表示装置及び医用画像保管装置の動作について図２のフローチャート及び図３の模式図を用いて説明する。なお、過去の医用画像データ及び付帯情報は、医用画像保管装置２０内の保存部２２に記憶されているとする。
【００３０】
ステップＳＴ１において、図示しない医用画像撮像装置によって医用画像が撮像され、第１医用画像データ及び付帯情報が記憶部１１に記憶される。
【００３１】
ステップＳＴ２において、医用画像表示装置１０は、ユーザによる操作部１４の操作により、処理部１３が、医用画像保管装置２０又は記憶部１１の少なくとも一方に記憶された医用画像データの中から第１医用画像データを選択する。
【００３２】
ステップＳＴ３において、医用画像表示装置１０は、ユーザによる操作部１４の操作により、第１医用画像データに対応する複数種類の付帯情報に基づいて、第１軸方向に対応する分類条件と第２軸方向に対応する分類条件とを求める。
【００３３】
ステップＳＴ４において、処理部１３は、当該求めた分類条件に基づいて、医用画像データを医用画像保管装置２０から検索する。
【００３４】
詳しくは、処理部１３は、分類条件を含む検索要求を送受信部１６により医用画像保管装置２０に送信する。医用画像保管装置２０においては、送受信部２１が、医用画像表示装置１０から受けた検索要求に従って、医用画像データ及び当該医用画像データの付帯情報を保存部２２から読み出して医用画像表示装置１０に送信する。
【００３５】
ステップＳＴ５においては、医用画像表示装置１０は、第１表示領域に第１医用画像データを表示し、第１表示領域の周囲に設けられた第２表示領域に、ステップＳＴ４で検索した医用画像データを、第１軸方向と第２軸方向に分類して配置して表示部１２に表示する。
【００３６】
処理部１３は、図３に示すように、２つの分類条件の各値（例、写損、良画像）又は各値の範囲（高線量の範囲、中線量の範囲、低線量の範囲）を第１軸方向１と第２軸方向２に配置する。図３に示す場合、第１軸方向１に対応する分類条件は、医用画像データの画質を表した条件であり、第２軸方向２に対応する分類条件は、医用画像データの線量を表した条件である。また、第１軸方向１と第２軸方向２とは直交している。
【００３７】
また、処理部１３は、当該第１軸方向１及び第２軸方向２と、検索した各医用画像データの付帯情報に含まれる当該２つの分類条件の各値（写損又は良画像、撮影線量）とに基づいて、当該各医用画像データをマトリクス状に分類表示する。なお、第１軸方向１及び第２軸方向２は表示しなくてもよい。
【００３８】
すなわち、図３に示した例では、同一撮影条件で撮影した過去の医用画像データを検索し、高線量／低線量および良画像／写損画像毎に横軸縦軸（第１軸方向１及び第２軸方向２）に割り振って分類して表示している。分類表示するためのカテゴリは、ユーザがカスタマイズすることが可能である。図３に示した例以外にも、より比較対象として表示したい条件に従って、ユーザに分かりやすく提示できる。
【００３９】
また、図３に示す３行３列のマトリクスの場合、中央の第１表示領域に第１医用画像データｇ１が表示されている。検索した各医用画像データは、第１医用画像データｇ１を囲む８つの第２表示領域ｒ１〜ｒ８に表示されている。但し、第１医用画像データｇ１は、必ずしも中央に表示されなくてもよい。第１医用画像データｇ１は、例えば、マトリクスの中央以外の第１表示領域に表示されてもよく、マトリクスの外部に表示されてもよい。これらの場合、マトリクスの中央領域には、検索した医用画像データが表示される。
【００４０】
なお、図３に示す例の場合、低線量且つ良画像と評価された各医用画像データが右下の領域ｒ８に表示される。これにより、ユーザは、仮に第１医用画像データｇ１が不良画像の場合でも、右下の第２表示領域ｒ８に表示された各医用画像データの撮影条件に基づいて、条件を修正すれば低線量で良画像が得られることを判断できる。
【００４１】
上述したように本実施形態によれば、第１医用画像データｇ１を選択し、第１医用画像データｇ１に対応する複数種類の付帯情報に基づいて、第１軸方向１に対応する分類条件と第２軸方向２に対応する分類条件とを求め、当該分類条件に基づいて医用画像データを検索する。また、第１表示領域に第１医用画像データｇ１を表示し、第１表示領域の周囲に設けられた第２表示領域ｒ１〜ｒ８に、当該検索した医用画像データを、第１軸方向１と第２軸方向２に分類して配置して表示する。
【００４２】
これにより、関心のある医用画像（第１医用画像データｇ１）と、当該医用画像の条件と同一の条件をもつ複数の他の医用画像（検索した各医用画像データ）とを並べて表示でき、医用画像（第１医用画像データｇ１）に関する判断を支援することができる。
【００４３】
補足すると、本実施形態によれば、比較したい医用画像を様々な条件に基づいて検索し、２つの分類条件の各値又は各値の範囲に従って分類表示することにより、医用画像の比較を容易にし、全体を分かり易く眺めることができる。
【００４４】
例えば、Ｘ線撮影装置を用いて撮影した第１医用画像データｇ１を選択し、分類条件に従って比較対象となる医用画像データを自動的に医用画像保管装置２０内から検索し、撮影条件や画像評価などに分類しながら一覧表示することができる。
【００４５】
また、比較対象の医用画像データを保存した医用画像保管装置（記憶装置）２０は、医用画像表示装置１０から通信可能なＤＢであれば、遠く離れた場所（例えば他の施設や病院など）に配置されていてもよい。
【００４６】
また、撮影した第１医用画像データｇ１と事前にカスタマイズした同一条件で撮影した医用画像データ群を２つの分類条件に従って、マトリクス状に分類表示することで、撮影に関する分析／評価を実施することができる。
【００４７】
また、関心のある医用画像データ群に対して、簡単にアクセスすることが可能となる。
【００４８】
また、本実施形態は、特定の医用システムに限定されず、任意の医用システム上で表示している第１医用画像データｇ１と同じ条件（撮影条件や画像パラメータ、撮影者情報、画像評価情報、症例、撮影部位など）を有する医用画像データを、２つの分類条件（撮影条件や画像評価など）の各値等に従ってマトリクス状に分類表示することができる。
【００４９】
また、本実施形態は、処理部１３が、写損以外に関する情報も集計し、提示／比較するように変形してもよい。
【００５０】
また、本実施形態は、第１医用画像データｇ１を表示せず、検索した医用画像データのみをマトリクス状に分類表示することもできる。この場合、例えば、写損の医用画像データのみをマトリクス状に分類表示してもよい。
【００５１】
また、他の装置や病院施設などに医用画像データの検索対象を広げることにより、通常、困難な他の技師や、病院／施設間を超えた比較などにも応用することができる。
【００５２】
また、運用側には、線量管理等に活用できる利点がある。
【００５３】
また、患者側には、低線量で良画像が撮影されるようになる利点がある。
【００５４】
また、本実施形態によれば、条件に応じて以下のような効果を得ることができる。
【００５５】
画像評価情報と撮影線量情報を条件として指定し、各医用画像データをマトリクス状に分類表示する場合、写損と比較して良画像に対する評価を実施できる。
【００５６】
撮影者と画像評価情報を条件として指定し、各医用画像データをマトリクス状に分類表示する場合、個人毎に撮影部位毎の良画像作成数などを提示することができる。
【００５７】
良画像となる撮影条件や、写損となりやすい撮影条件を条件として指定し、各医用画像データをマトリクス状に分類表示する場合、次回以降の撮影条件の参考にすることができる。
【００５８】
対象者の年齢、体格や、症例などを条件として指定し、各医用画像データをマトリクス状に分類表示する場合、全体的な傾向や評価を見ることができる。
【００５９】
撮影条件と画像評価を条件として指定し、各医用画像データをマトリクス状に分類表示する場合、撮影時に写損となりやすい条件の有無を事前に確認することができる。
【００６０】
撮影条件の近い医用画像データと症例を条件として指定し、各医用画像データをマトリクス状に分類表示する場合、他の患者の症例などとの比較が容易に実施することができる。
【００６１】
＜第２の実施形態＞
次に、第２の実施形態に係る医用画像表示装置について図１を用いて説明する。なお、前述した部分と同一部分についてはその詳しい説明を省略し、ここでは異なる部分について主に述べる。以下の各実施形態も同様にして重複した説明を省略する。
【００６２】
第２の実施形態は、第１の実施形態の変形例であり、図４に示すように、ある部位（例、脳）を撮影した第１医用画像データｇ１に対して、同一部位（例、脳）の症例を示す複数の医用画像データを分類表示する形態である。
【００６３】
具体的には、前述したステップＳＴ４において、医用画像表示装置１０は、ユーザによる操作部１４の操作により、第１医用画像データの各条件のうち、同一部位、同一ＭＰＲ（multi-planar reconstruction）方向の条件が指定される。
【００６４】
処理部１３は、当該指定された条件と同一の条件を有する複数の医用画像データを医用画像保管装置２０から検索する。
【００６５】
ステップＳＴ５においては、医用画像表示装置１０は、ユーザによる操作部１４の操作により、各医用画像データの各条件のうち、第１軸方向３及び第２軸方向４に用いる２つの分類条件（発生頻度、重篤度）が指定される。ここで、発生頻度は、全体の症例数である。また、検索した各医用画像データを分類するカテゴリの条件（症例）が指定される。
【００６６】
処理部１３は、図４に示すように、当該指定された２つの分類条件の各値の範囲（重篤度の低・高の範囲、発生頻度の高・中・低の範囲）を第１軸方向３及び第２軸方向４に配置する。なお、第１軸方向３と第２軸方向４とは直交している。
【００６７】
また、処理部１３は、当該第１軸方向３及び第２軸方向４と、検索した各医用画像データの付帯情報に含まれる当該２つの条件の各値（重篤度、発生頻度）とに基づいて、カテゴリの条件（症例）毎に、当該各医用画像データをマトリクス状に分類表示する。なお、第１軸方向３及び第２軸方向４は表示しなくてもよい。
【００６８】
上述したように本実施形態によれば、同一部位、同一方向を指定して各医用画像データを検索することにより、第１の実施形態と同様の効果に加え、ある部位を示す第１医用画像データｇ１に対して、同一部位の症例を示す複数の医用画像データを分類表示することができる。
【００６９】
また、通常の分類表示とは異なり、カテゴリ毎にまとめた医用画像データ群を分類表示する場合、視認性を向上させることができる。
【００７０】
＜第３の実施形態＞
次に、第３の実施形態に係る医用画像表示装置について図１を用いて説明する。
【００７１】
第３の実施形態は、第２の実施形態の変形例であり、第２の実施形態と同様に分類表示した後、表示された各医用画像データ群のうち、ユーザの関心のある医用画像データに簡単にアクセスできる形態である。
【００７２】
図５に示した例では、第２の実施形態と同様に、第１医用画像データｇ１を囲むように、同一部位、同一ＭＰＲ方向をもつ各医用画像データが症例毎に、発生頻度及び重篤度に応じて分類表示されている。
【００７３】
このとき、医用画像表示装置１０においては、ユーザによる操作部１４の操作により、処理部１３が、表示されている第１医用画像データ及び各医用画像データのうち、いずれかの医用画像データ上にカーソル５等を配置するよう表示部１２を制御し、当該医用画像データを選択する。
【００７４】
処理部１３は、選択された医用画像データを表示部１２により拡大表示する。また、処理部１３は、選択された医用画像データの付帯情報に含まれて各分類条件により分類された値（例、撮影条件、症例など）を表示部１２により表示する（図示せず）。
【００７５】
上述したように本実施形態によれば、表示されている第１医用画像データ及び各医用画像データのうち、いずれかの医用画像データを選択すると、選択された医用画像データの付帯情報に含まれて各分類条件により分類された値を表示する。
【００７６】
このように、本実施形態によれば、第２の実施形態の効果に加え、表示された各医用画像データ群のうち、ユーザの関心のある医用画像データに簡単にアクセスすることができる。
【００７７】
なお、本実施形態は、表示中の医用画像データを選択すると、当該選択された医用画像データにアクセスする機能なので、第２の実施形態に限らず、第１の実施形態及び以下の各実施形態にも同様に適用することができる。
【００７８】
＜第４の実施形態＞
次に、第４の実施形態に係る医用画像表示装置について図１を用いて説明する。
【００７９】
第４の実施形態は、第１の実施形態の変形例であり、分類条件をユーザがカスタマイズする形態である。
【００８０】
具体的には、第１の実施形態と同様にして、図６の左側に示すように、第１医用画像データｇ１及び各医用画像データを分類表示したとする。
【００８１】
次に、医用画像表示装置１０は、ユーザによる操作部１４の操作により、各医用画像データの各分類条件のうち、第２軸方向２に用いる１つの分類条件が撮影線量からＥＩ値に変更される。
【００８２】
処理部１３は、当該変更後の２つの分類条件の各値の範囲（写損・通常画像・良画像、ＥＩ値の高・中・低の範囲）を第１軸方向１及び第２軸方向６に配置する。また、処理部１３は、当該第１軸方向１及び第２軸方向６と、各医用画像データの付帯情報に含まれる当該２つの条件の各値（写損・通常画像・良画像、ＥＩ値）とに基づいて、図６の右側に示すように、当該各医用画像データをマトリクス状に分類表示する。
【００８３】
以下、同様にして、医用画像表示装置１０は、分類条件を変更することにより、分類表示の内容を変更することができる。
【００８４】
上述したように本実施形態によれば、第１の実施形態の効果に加え、分類条件を変更することにより、分類表示の内容を変更することができる。
【００８５】
なお、本実施形態では、第２軸方向に対応する１つの分類条件を変更するが、これに限らず、第１軸方向及び第２軸方向に用いる２つの分類条件を変更してもよい。
【００８６】
なお、ユーザがカスタマイズ可能な条件は、上述した例に限らず、任意の条件を用いることができる。
【００８７】
また、本実施形態は、分類条件を変更する機能なので、第１の実施形態に限らず、第２の実施形態、第３の実施形態及び以下の各実施形態にも同様に適用することができる。
【００８８】
＜第５の実施形態＞
次に、第５の実施形態に係る医用画像表示装置について図１を用いて説明する。
【００８９】
第５の実施形態は、第１の実施形態の変形例であり、分類条件の各値の範囲をユーザがカスタマイズできる形態である。
【００９０】
具体的には、第１の実施形態と同様にして、図７の左側に示すように、第１医用画像データｇ１及び各医用画像データを分類表示したとする。このとき、各医用画像データが表示される第２表示領域の個数は８である。
【００９１】
次に、医用画像表示装置１０は、ユーザによる操作部１４の操作により、第１軸方向１及び第２軸方向２の各々に対応する分類条件のうち、少なくとも一方の分類条件が示す各値の範囲を変更する。
【００９２】
具体的には例えば、処理部１３は、操作部１４の操作に応じて、第２軸方向２に対応する分類条件が示す撮影線量の範囲を３種類（高線量、中線量、低線量）から５種類（高線量、やや高線量、中線量、やや低線量、低線量）に変更する。
【００９３】
次に、処理部１３は、当該変更後の２つの分類条件の各値の範囲（写損・通常画像・良画像、撮影線量の５種類の範囲）を第１軸方向１及び第２軸方向２ａに配置する。
【００９４】
また、処理部１３は、当該第１軸方向１及び第２軸方向２ａと、各医用画像データの付帯情報に含まれる当該２つの条件の各値（写損・通常画像・良画像、撮影線量）とに基づいて、図７の右側に示すように、当該各医用画像データをマトリクス状に分類表示する。
【００９５】
このとき、医用画像データが表示される第２表示領域の個数は１４である。従って、本実施形態では、分類条件が示す各値の範囲を変更することにより、各医用画像データが表示される第２表示領域の個数が８から１４に変更されている。
【００９６】
以下、同様にして、医用画像表示装置１０は、分類条件が示す各値の範囲を変更することにより、分類表示の内容を変更することができる。
【００９７】
上述したように本実施形態によれば、第１の実施形態の効果に加え、少なくとも一方の分類条件が示す各値の範囲を変更することにより、分類された各医用画像データが表示される第２表示領域の個数を変更することができる。
【００９８】
なお、本実施形態では、第２軸方向２に用いる１つ目の分類条件を変更するが、これに限らず、第１軸方向１に用いる２つ目の分類条件を変更してもよい。
【００９９】
なお、ユーザがカスタマイズ可能な条件は、上述した例に限らず、任意の分類条件の各値の範囲を用いることができる。また、本実施形態は、分類条件が示す各値の範囲を変更する機能なので、第１の実施形態に限らず、第２〜第４の各実施形態にも同様に適用することができる。
【０１００】
以上説明した少なくとも一つの実施形態によれば、第１医用画像データｇ１を選択し、第１医用画像データｇ１に対応する複数種類の付帯情報に基づいて、第１軸方向に対応する分類条件と第２軸方向に対応する分類条件とを求め、当該分類条件に基づいて検索する。また、第１表示領域に第１医用画像データｇ１を表示し、第１表示領域の周囲に設けられた第２表示領域に、当該検索した医用画像データを、第１軸方向と第２軸方向に分類して配置して表示する。
【０１０１】
これにより、関心のある医用画像（第１医用画像データｇ１）と、当該医用画像の条件と同一の条件をもつ複数の他の医用画像（各医用画像データ）とを並べて表示でき、医用画像（第１医用画像データｇ１）に関する判断を支援することができる。
【０１０２】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
１０…医用画像表示装置、１１，２２…記憶部、１２…表示部、１３…処理部、１４…操作部、１５，２３…制御部、１６，２１…送受信部、２０…医用画像保管装置。
【図１】
0006362930.tif 000002
【図２】
0006362930.tif 000003
【図３】
0006362930.tif 000004
【図４】
0006362930.tif 000005
【図５】
0006362930.tif 000006
【図６】
0006362930.tif 000007
【図７】
0006362930.tif 000008